(57)【要約】      （修正有）【課題】汎用品を利用して、製造することができる植物栽培容器用断熱シートを提供する。【解決手段】植物栽培容器に用いる断熱シート１であって、断熱シート１は、光の反射シート１１又は吸収シートと、断熱層１２とを含み、断熱層１２は、第１シートと、第２シートと、第１シート及び第２シートの間に配される複数の独立気泡１２１ａとを有する気泡緩衝材１２１であり、光の反射シート１１又は吸収シートと、断熱層１２の第１シート又は第２シートとが接合された状態である。【選択図】図１
0003217882.tif 000002
【実用新案登録請求の範囲】
【請求項１】
植物栽培容器に用いる断熱シートであって、
断熱シートは、光の反射シート又は吸収シートと、断熱層とを含み、
断熱層は、第１シートと、第２シートと、第１シート及び第２シートの間に配される複数の独立気泡とを有する気泡緩衝材であり、
光の反射シート又は吸収シートと、断熱層の第１シート又は第２シートとが接合された状態である植物栽培容器用断熱シート。
【請求項２】
気泡緩衝材は、凹部と凸部とを交互に設けた凹凸状シートが、第１シートと第２シートによって挟まれた形状である請求項１に記載の植物栽培容器用断熱シート。
【請求項３】
光の反射シート又は吸収シートは、白色顔料、金属顔料、及び黒色顔料からなる群より選ばれる少なくとも１種以上の顔料を含有する熱可塑性樹脂で構成されるものである請求項１又は２に記載の植物栽培容器用断熱シート。
【考案の詳細な説明】
【技術分野】
【０００１】
本考案は、植物を栽培する容器を断熱するシートに関する。
【背景技術】
【０００２】
植物には、品種によってそれぞれ生育に適した温度がある。気温だけでなく地温も植物の生育にとって重要である。例えば、植物の地上部の生育を促すには、根を広く深くはらせる必要がある。地温が栽培する植物にとって適切でないと、根の生育が阻害され、地上部の生育もすすまない。
【０００３】
植物にとって、地温が高すぎる場合は、植物に高温障害が発生する。また、植物にとって、地温が低すぎる場合は、植物に低温障害が発生する。特に鉢やプランターなどの植物を栽培するための容器で植物を栽培する場合は、鉢やプランターの側壁部分が日光、地表からの輻射熱、又は気温の低い外気にさらされているため、地温が環境の変化によって大きく変化する。
【０００４】
土壌の温度を保温する技術として、特許文献１に示した断熱シートが知られている。特許文献１には、植木鉢やプランターの側壁の内面又は外面に園芸用シートを装着することが記載されている。園芸用シートは断熱シートであるため、夜間や冬季でも土壌の保温が図られるとしている。
【先行技術文献】
【特許文献】
【０００５】
【特許文献１】特開２００１-３５２８４３号公報
【考案の概要】
【考案が解決しようとする課題】
【０００６】
特許文献１の園芸用シートでは、ポリエチレン樹脂やポリプロピレン樹脂に中空粒子を配合したり、発泡剤を加えたりすることにより、ポリエチレン樹脂等に中空な部分を設ける。これによって、園芸シートに断熱性を付与していると思われる。しかしながら、特許文献１の園芸シートでは、断熱材として専用の資材を用いているため、専用の製造ラインが必要となる。
【０００７】
本考案は、汎用品を利用して、製造することができる植物栽培容器用断熱シートを提供することを目的とする。
【課題を解決するための手段】
【０００８】
植物栽培容器に用いる断熱シートであって、断熱シートは、光の反射シート又は吸収シートと、断熱層とを含み、断熱層は、第１シートと、第２シートと、第１シート及び第２シートの間に配される複数の独立気泡とを有する気泡緩衝材であり、光の反射シート又は吸収シートと、断熱層の第１シート又は第２シートとが接合された状態である植物栽培容器用断熱シートによって、上記の課題を解決する。断熱層として、第１シートと、第２シートと、第１シート及び第２シートの間に配される複数の独立気泡とを有する気泡緩衝材を利用する。この気泡緩衝材は、例えば、荷物の梱包用の緩衝材として、また住宅の窓ガラスの断熱材として、汎用されている。また、光の吸収シート又は光の反射シートも、例えば、金属色又は明色など光の反射率が高いシートや、暗色など光の吸収率が高いシートが汎用されている。両者を接合することによって、専用の設備などを導入せずに、植物栽培容器用の断熱シートを製造することができる。
【０００９】
上記の植物栽培容器用断熱シートにおいて、気泡緩衝材は、凹部と凸部とを交互に設けた凹凸状シートが、第１シートと第２シートによって挟まれた形状とすることが好ましい。
【００１０】
上記の植物栽培容器用断熱シートにおいて、光の反射シート又は吸収シートは、白色顔料、金属顔料、及び黒色顔料からなる群より選ばれる少なくとも１種以上の顔料を含有するものであることが好ましい。
【考案の効果】
【００１１】
本考案によれば、汎用品を利用して、製造することができる植物栽培容器用断熱シートを提供することができる。
【図面の簡単な説明】
【００１２】
【図１】植物栽培容器用の断熱シートの一実施形態を分解して示した斜視図である。
【図２】図１の断熱シートの一部を拡大して示した断面図である。
【図３】図１の断熱シートが接合された状態を示す図２に対応する断面図である。
【図４】図１の断熱シートの使用例を示す図である。
【図５】図１の断熱シートの使用例を示す図である。
【考案を実施するための形態】
【００１３】
図１ないし図３に、植物栽培容器用断熱シート（以下、単に断熱シートと称する。）の一実施形態を示す。
【００１４】
図１ないし図３に示した断熱シートは、夏場などの気温が高くなる環境において使用する断熱シートである。この断熱シート１は、図１ないし図３に示したように、光の反射シート１１と、断熱層１２とを含む。
【００１５】
断熱層１２は、第１シートと、第２シートと、第１シート及び第２シートの間に配される複数の独立気泡１２１ａとを有する気泡緩衝材から構成される。このような気泡緩衝材１２１としては、例えば図２及び図３に示したように、凹部１２１ｂと凸部１２１ｃとが交互に設けられた凹凸状シート１２１ｄが、第１シート１２１ｅと第２シート１２１ｆとによって挟まれた形状のものを好適に利用することができる。凸部１２１ｃは、断熱シート１の一方側に向けて突出し、他方側の開口が第２シート１２１ｆによって塞がれており、一方側に配される平坦部１２１ｇが第１シート１２１ｅと接面する形状である。個々の凸部は独立気泡を形成する。凹部１２１ｂは、断熱シート１の他方側に向けて突出し、一方側の開口が第１シート１２１ｅによって塞がれており、他方側に配される平坦部１２１ｇが第２シート１２１ｆと接面する形状である。個々の凹部は独立気泡を形成する。個々の凸部１２１ｃは、底部が開口とされた円柱状である。凹凸状シート１２１ｄ、第１シート１２１ｅ、及び第２シート１２１ｆは、熱融着により一体化されたものであることが好ましい。そのような、凹凸状シート１２１ｄ、第１シート１２１ｅ、及び第２シート１２１ｆは、凹部１２１ｂ及び凸部１２１ｃに対応する凹凸状の表面を有するローラーにより、熱可塑性樹脂のシートに凹部１２１ｂ及び凸部１２１ｃを形成して凹凸状シート１２１ｄとし、この凹凸状シート１２１ｄに対して第１シート１２１ｅ及び第２シート１２１ｆをラミネートすることにより形成することができる。個々の独立気泡のサイズは、特に限定されないが、例えば、独立気泡の外径が３.０〜２０.０ｍｍの気泡緩衝材を使用することができる。
【００１６】
図２ないし図４の例では、光の反射シート１１を採用したが、これに変えて光の吸収シートを使用してもよい。光の吸収シートを使用することにより、冬場などの気温の低い時期に土熱が低下することを防ぐことができる。光の吸収シートは、例えば、光を吸収しやすい素材で構成することができる。
【００１７】
光の反射シートとしては、光の反射率が高くなる素材を利用すればよい。光の吸収シートとしては、光の吸収率が高くなる素材を利用すればよい。光の吸収シートまたは光の反射シートとしては、例えば、白色顔料、金属顔料、及び黒色顔料からなる群より選ばれる少なくとも１種以上の顔料を含有する熱可塑性樹脂から構成することが好ましい。白色顔料としては、例えば、酸化チタン、酸化亜鉛、又は酸化バリウムが挙げられる。黒色顔料としては、例えば、カーボンブラック、又はクロム酸銅などが挙げられる。熱可塑性樹脂としては、ポリプロピレン、ポリエチレンなどのポリオレフィン樹脂を好適に使用することができる。金属顔料としては、アルミニウム粉などを使用することができる。ただし、アルミニウムは土中に溶け出して植物にリン欠乏による生育障害をもたらすことがあるとされている。このため、アルミニウムを光の反射材として使用する際には、熱可塑性樹脂に練り込んだり、アルミニウム層の表裏面に熱可塑性樹脂をラミネートしたものを使用することが好ましい。
【００１８】
上述の気泡緩衝材は、例えば、荷物の梱包用の緩衝材や住宅の窓ガラスの断熱材として汎用されている。上述の光の反射シートや光の吸収シートもまた、例えば、マルチング材などの農業用資材として汎用されている。このため、気泡緩衝材と、光の反射シート又は光の吸収シートとを粘着剤又は接着剤などの接合材を利用して接合することによって、断熱シートを、特別な製造設備などを使用せずに、製造することが可能になる。気泡緩衝材としては、第１シート又は第２シートにあらかじめ接合材が塗布された状態のものを使用すれば、接合材を塗布する手間を省略することができるのでより好ましい。そのようなものとしては、住宅の窓ガラスの断熱材として用いられる気泡緩衝材が挙げられる。
【００１９】
気泡緩衝材としては、例えば、厚みが１〜２０ｍｍのものを使用することが好ましい。光の反射シート又は光の吸収シートとしては、例えば、厚みが１.０〜１０００μｍのものを使用することが好ましい。
【００２０】
気泡緩衝材１２１と、光の反射シート１１又は光の吸収シートとを接合するには、光の反射シート１１又は吸収シートと、断熱層１２の第１シート１２１ｅ又は第２シート１２１ｆとを接合する。図２及び図３の例では、第１シート１２１ｅと光の反射シート１１とが接合される。第１シート１２１ｅ、第２シート１２１ｆ、光の反射シート１１、及び光の吸収シートは、いずれも平坦なシート状である。このため、第１シート１２１ｅ又は第２シート１２１ｆと、光の反射シート１１又は光の吸収シートとを接合する際の接合面積を大きくすることが可能である。また、接合材を塗布する面積も大きくすることが可能である。これにより、接合した第１シート１２１ｅ又は第２シート１２１ｆと、光の反射シート１１又は光の吸収シートとが簡単に剥離しないように、しかも簡単に接合することが可能である。
【００２１】
上記の断熱シート１は、例えば、植木鉢やプランターなどの植物栽培用容器の側壁の内側及び/又は外側に固定して使用することができる。図４の例では、植木鉢５の側壁５１の内側に沿って、断熱シート１を円形に巻いたものを配置し、この状態で植木鉢５の内側に土８を投入する。これによって、植木鉢５の側壁５１の内側に断熱シート１を固定している。植木鉢５の側壁５１の外側に沿って、断熱シート１を接合材によって円形状になるように貼着したり、断熱シート１の側壁５１の外側に沿って断熱シート１を円形状になるように巻き付けた状態で麻紐などの適宜の紐を断熱シート１に巻き付けたりすることで、断熱シート１を植木鉢５の側壁５１に対して固定してもよい。
【００２２】
図５の例では、プランター６の側壁６１の外側に断熱シート１を接合材によって貼着することによって、断熱シート１をプランター６の側壁の外側に対して固定している。プランター６の側壁６１の内側にも、断熱シート１が固定されている。植木鉢５の場合と同様に、プランター６の側壁６１の内側に断熱シート１を配置した後に、プランター６内に土を投入することで、断熱シート１を側壁６１に対して固定している。
【００２３】
断熱シート１は、上述のように、植物栽培用容器の内側、外側、又は内側及び外側の両方に配置することができる。栽培途中の植物培養容器の場合は、外側に配置すればよい。栽培前の植物培養容器の場合は、土を投入する前の状態につき、内側、外側、又は内側及び外側の両方の選択肢のうちから、所望の断熱性に応じて選択すればよい。
【００２４】
断熱シート１を植物栽培用容器に適用する際には、円形に巻く回数などを調節するなどして、断熱シート１同士が重なる層数を変更することによって、断熱性能を調節することができる。
【００２５】
上記の断熱シート１は、植木鉢やプランターなどのサイズに応じて、鋏やナイフなどの刃物により切断して使用することができる。光の反射シート１１、吸収シート、第１シート１２１ｅ、及び第２シート１２１ｆは、いずれも平坦であり、上述の通り接合状態が良好である。このため、鋏などの刃物を使用して適宜の位置で、断熱シート１を切断しても、その切断箇所から光の反射シート又は光の吸収シートが第１シート１２１ｅ又は第２シート１２１ｆから剥離しにくくなっている。
【００２６】
断熱層１２を構成する気泡緩衝材１２１の独立気泡は、第１シート１２１ｅ、第２シート１２１ｆで覆われているため、断熱層１２の内部に土や水分が侵入しにくくなっている。このため、断熱層１２の内部に雨水、水遣り時の水又は土などが侵入することに起因する断熱性能の低下を防ぐことができる。
【００２７】
上記の例では、断熱シート１の一方の面のみに光の反射シート１１を配置した例を挙げた。断熱シートの両方の面に光の反射シートを配置してもよいし、断熱シートの両方の面に光の吸収シートを配置してもよいし、断熱シートの一方の面に光の反射シートを配置して断熱シートの他方の面に光の吸収シートを配置してもよいし、断熱シートの他方の面に光の反射シートを配置して断熱シートの一方の面に光の吸収シートを配置してもよい。断熱シートの一方の面又は他方の面に光の反射シートを配置し、断熱シートの他方の面又は一方の面に光の吸収シートを配置し多孔性では、断熱シートの表裏を切り替えることによって高温期及び低温期の両方に一枚の断熱シートで対応することが可能である。
【００２８】
上記の断熱シート１では、気泡緩衝材１２１を断熱層１２として利用している。気泡緩衝材１２１は、スポンジなどの多孔質の素材と比べて、へたりにくい。このため、上記の断熱シート１は、土圧等の外圧によってへたりにくく、繰り返し使用することが可能である。
【００２９】
上記の断熱シート１では、断熱層に光の反射シートを組み合わせている。光の反射シートにより日光を反射して、植物の栽培容器が過剰に蓄熱することを防ぐことができる。また、断熱シート１は、断熱層を備えているので、断熱シートを介して熱が伝達する効率を低下させることによって、土熱が上昇することを防ぐことができる。
【００３０】
断熱層に光の吸収シートを組み合わせれば、光の吸収シートにより断熱シート自体の温度を上昇させて、植物栽培容器内の熱が外に逃げるのを防止することができる。また、断熱層が断熱シートを介して熱が伝達する効率を低下させて、植物栽培容器内の熱が外に逃げるのを防止することができる。
【００３１】
上記の断熱シート１は、光の反射シートを備える。植物に寄生する虫は、光の乱反射を嫌う傾向がある。このため、断熱性シートに光の反射シートを配することによって、害虫の忌避効果を断熱シートに付与することができる。
【符号の説明】
【００３２】
１        断熱シート
１１      光の反射シート
１２      断熱層
１２１    気泡緩衝材
１２１ａ  独立気泡
１２１ｂ  凹部
１２１ｃ  凸部
１２１ｄ  凹凸状シート
１２１ｅ  第１シート
１２１ｆ  第２シート
【図１】
0003217882.tif 000003
【図２】
0003217882.tif 000004
【図３】
0003217882.tif 000005
【図４】
0003217882.tif 000006
【図５】
0003217882.tif 000007